(57)【要約】【課題】長形発光体５４は手に持って振るため、手を振った時に先端がワンテンポおくれるので手と同じ動きにすることがむずかしい。あらかじめ決まったパタ−ンの用具を用いるので、自由に発光パタ−ンを作成したりすることはできないなどの課題があった。【解決手段】コンサ−ト会場で歌手を声援するのに長形発光体５４のペンライトを振っているのが主流だが、長形発光体装着用手袋５８に比較的軽い化学発光体５６を手袋５８に収めれば、手と同じ動きができる。自分である程度発光パターンのデザインができる。手袋５８や介在物５９にリングや孔、切り込みを複数設けこれに着脱自在に化学発光体を通し、星形や花の形に化学発光体を自由にパタ−ン化することができ声援効果も大きなものとなる。また、装着部のリング、孔、切り込みを組み合わせると、デザインのパタ−ンが広がる。【選択図】図１
0003101604.tif 000002
【実用新案登録請求の範囲】
【請求項１】
手を挿入したり又は手で所持する用具に長形発光体を装着する装着部を複数設け、この装着部へ前記長形発光体を着脱自在に装着することを可能としたイルミネ−ション用具。
【請求項２】
前記用具は手袋であることを特徴とする請求項１記載のイルミネ−ション用具。
【請求項３】
前記用具は円形かつ厚みを有することを特徴とする請求項１記載のイルミネ−ション用具。
【請求項４】
手袋の少なくとも手の平側に長形発光体を着脱自在に装着する装着部を複数設け、更に前記手袋の中央に着脱可能な介在物を取り付け、この介在物には長形発光体を着脱自在に装着する装着部を複数設けたことを特徴とするイルミネ−ション用具。
【請求項５】
前記装着部は、リング、孔、切り込みまたは袋状収納部材であることを特徴とする請求項１ないし４記載のイルミネ−ション用具。
【考案の詳細な説明】
【技術分野】
【０００１】  本考案は、ステ−ジ応援などに使用する化学発光体などの長形発光体を着脱自在に装着可能とした用具に関する。
【背景技術】
【０００２】  図９に示すように、例えば歌手５２がステ−ジ５３上で歌唱を行う際に、多数の熱烈なファン５５が声援を送る場面は日常よく行われている。このとき、ファン５５の各々が手に化学発光体５６や電池内蔵のペンライトなどの長形発光体５４を手に持ち、これを左右に振るなどしてファン５５も参加形になっている。【０００３】  この際使用される長形発光体５４はいろいろなものが使用されているが、例えば図１０に示すような長形電池式ペンライトや化学発光体５６が一般的である。化学発光体５６は図１０（ａ）に示すように、未使用なときには柔軟な長形チュ−ブの内部に化学剤が充填されており、点灯に際して図１０（ｂ）に示すように長形チュ−ブを折り曲げげることにより、チュ−ブ内部で化学反応を起こし、図１０（ｃ）に示すように化学発光体５６は点灯する。通常化学発光体５６に係止部材５７を差し込むようになっている。【０００４】  このような構造の長形発光体５４をファン５５は片手に又は両手に何本か所持して、振ってみたり、人によっては、長形発光体５４を手の各指の間には挟んで両手に複数の長形発光体５４を所持することにより、声援効果をより一層盛り上げようとする場面も知られている。【０００５】  また、各種発光体を装身具に装着してイルミネ−ション効果やその他伝達手段として活用する技術も知られている。例えば、手の甲の部分に発光部などを設けた子供用手袋玩具に関する技術も開示されている。（特許文献１参照）。これは手袋といってもいわゆる手を完全に挿入する手袋ではなく、三角シ−トの先端に指輪を取り付け、この指輪に指を入れて手首に巻き付け固定する構成となっている。そして、三角シ−ト上に電池、発光部、音声発生部などを内蔵した機能部が形成されており、スイッチを押すことにより、光や音が発生するようにうに動作する。【０００６】  また、手袋の甲に発光装置を取り付ける内容も開示されている。（特許文献２参照）。すなわち発光装置には動物の顔などが図案化された発光素子が組みこまれており、遊び感覚で楽しみに使用したり、他人への合図として利用することができる。【０００７】  更に、手袋の両面に発光器具を取り付ける技術も開示されている。（特許文献３参照）。このような手袋は交通整理などで信号の代わりに利用することを目的としたものである。すなわち手袋の手の平側の表面にリング状にならべた赤色の発光器具が取り付けられており、手袋の手の甲側の裏面には同じくリング状に並べた青色の発光器具が取り付けられている。例えば、道路工事の車両誘導者が車両を停止させるときには、この手袋の赤色に発光している表面側を運転者へ見せ、発車させるときには、手袋の青色に発光している裏面側を運転者に見せるように使用する。【０００８】  更に、作業用手袋に発光部を形成したことを特徴としたものも開示されている。（特許文献４参照）。これは、前記発光部に、発光塗料を塗布するか、発光塗料或いは反射基剤を有するフィルム添着する。前記発光塗料は可視光線、紫外線以下の短波長の電磁波やα線などの放射線をうけ発光する。また反射基剤を有するフィルムは夜間も作業やトンネル作業の現場を照射する照明に反射して発光させて、周囲が暗い条件下でも作業中の手の��きが確認できる。
【特許文献１】特開平８−６６５６６号公報
【特許文献２】実公平２−２６８８９号公報
【特許文献３】実用新案登録第２５７２２５９号公報
【特許文献４】特開平１１−２００１２１号公報
【考案の開示】
【考案が解決しょうとする課題】
【０００９】  コンサ−トで歌手５２応援、又はイベントなどで会場を盛り上げるために、各自の手に長形発光体５４を片手又は両手に、あるいは指の間に複数本を所持して発光させた状態で歌手５２を応援しているが、手で持つ事は限界があるし、長形発光体５４をリズムと同じテンポにする場合は、長形発光体５４を手に持ち斜めに振ったときに長形発光体５４の先端が手の動きのあとからついてくる。手の動きと同じにすることはむずかしい。
【００１０】  特許文献１に開示されている子供用玩具においては、光や音を発する機能部は、初めから固定位置に取り付けられており、バラエティに富んだ希望の発光パタ−ンを自由に形成することはできなかった。またこの例では手の甲に発光部が取り付けられている構造であるため、発光部をステ−ジへ向かって振ることには、大きな困難が生じる。
【００１１】  特許文献２に開示されている手袋においても、上記例と同様に発光パタ−ンが固定されており、ファンが自由に発光パタ−ンを作成することはできず、更に、手の甲に取り付けられるためステ−ジへ向かって振ることには困難がともなう。
【００１２】  特許文献３に開示されている発光器具が取り付けられている手袋においては、手の甲のみならず手の平にも発光器具が取り付けられている。しかしながら、本例にあっても発光パタ−ンは固定でリング状となっている。交通整理などに利用するために一方を赤リング、他方を青リングとしており、使用者が自由に発光パタ−ンを変更することはできなかった。
【００１３】  特許文献４に開示されている手袋本体の適所に発光塗料又は反射基剤を有するものは、現場で使用される照明の刺激を得て発光すると記してあるが、ステ−ジの照明では弱すぎる。仮に客席の前列の一部の人がステ−ジの照明の刺激を受けたとしても、その発光は弱く、客席全体の人には照明は届かない。反射テ−プにしても同様だ。そしてこれも発光部のパタ−ンが固定されていて、使用者が自由に発光パタ−ンを変更することはできなかった。
【課題を解決するための手段】
【００１４】  本考案に係わるイルミネ−ション用具は、手を挿入したり又は手で所持する用具に長形発光体を装着する装着部を複数設け、この装着部へ前記長形発光体を着脱自在に装着することを要旨とする。更に本考案に係るイルミネ−ション用具は手袋であることを要旨とする。更に用具は円形かつ厚みを有することを要旨とする。更に本考案に係わるイルミネ−ション用具は手袋の少なくとも手の平ら側に長形発光体を着脱自在に装着する装着部を複数設け、更に前記手袋の中央に着脱可能な介在物を取り付け、この介在物にも長形発光体を着脱自在に装着する装着部を複数設けたことを要旨とする。更に装着部はリング、孔、切り込みまたは袋状収納部材であることを要旨とする。
【考案の効果】
【００１５】  １．自分である程度デザインできる。
２．装着部のリング、孔、切り込みを、組み合わせれば、デザインのバリエ−ションが      広がる。
３．手袋５８に長形発光体５４を装着することにより、手の範囲に長形発光体が収まり      手の動きと同時になる。
４．シンプルに表現したいときは、長形発光体５４を手袋に取りつける。
５．手袋に、長形発光体を装着して、手の平をステ−ジに向かって、上、下、斜めなど      にかざす位置により、ステ−ジからみて形が変化する。
６  介在物５９を取り付て何本か使い長形発光体５４を重ねれば形が太くなる。
７．手袋に介在物５９を装着すると高さができ長形発光体５４を通すと形も若干変わっ      てくる。
８．この介在物５９を装着した場合はその部分に高さができ、舞台に向かって手の平を      下に指先を真っ直ぐステ−ジに向けたときに厚みが生きてくる。
９．この介在物５９は取り外しができ、単独でも使える。
１０．介在物５９はフエルト状の布で円形に形成して内部の詰め物によって動きが違って      くる。例えば詰め物をスポンジにすると、長形発光体５４が弾力による動きがでる      。
１１．手袋に介在物を取り付けた場合、手袋をはずして、介在物を持ち振ることもできる      。
１２．ぐるぐる回す場合、介在物を持って長形発光体を上、下、斜め等にして、回転させ      る。
１３．サッカ−などで観客が応援に手でウエ−ブをおこすが、会場の暗闇ですることもで      きる。
１４．以上、上述で効果を述べたが、利用者が用具の組み合わせ、長形発光体を装着時の      デザイン、手の動き、位置、向きなどを工夫すれば、光の形が変化する。
【考案を実施するための最良の形態】
【００１６】  以下に本考案に係わる実施形態を図を参照して説明する。図１は本考案に係わる長形発光体装着用手袋５８に図１０で説明したのと同様の化学発光体５６を５本で星を作る構成図である。手袋５８には複数のリング１ないし１０が固定されている。化学発光体５６をリング１からリング８に通して係止部材５７で両端を留める。以下同様に化学発光体５６をリング２とリング５、３と１０、４と７、６と９に通して形を整えたら係止部材５７の重なる箇所を輪ゴム６０で形を固定する。このようにして５本の化学発光体５６によってて星形のイルミネ−ションが形成される。【００１７】  利用者は上述した構成の長形発光体装着用手袋５８に化学発光体５６を装着する前に、図１０に（ｂ）にて説明したようように予め折り曲げて発光状態とする。このような発光状態にある化学発光体５６を装着した長形発光体装着用手袋５８を図９に示したように頭上にかざして、ステ−ジ５３上の歌手５２に声援を送る。【００１８】  図２の手袋５８に円形で厚みのある介在物５９を取り付けた場合は、この介在物５９の表面に５個のリング１１ないし１５が固定されている。手袋５８に化学発光体５６を５本リング１と１５と８に通して両端を係止部材５７でとめる。以下同様に、２と１２と５、３と１１と１０、４と１３と７、６と１４と９、に通して星の形を整えて係止部材５７の重なる部分を輪ゴム６０で固定する。【００１９】  図３は図２に介在物５９を取り付けた側面図である。すなわち、手袋５８に円形で厚みのある介在物５９を取り付けたことにより、化学発光体５６は弓形に曲げられることになり、立体的な星形のパタ−ンを形成することができる。【００２０】  図４は介在物５９を図２に示す手袋５８から取りはずした例を示す図面である。化学発体５６をリング１１に通して係止部材５７を両端に留める。以下同様に、１２、１３、１１４、１５、で星形ができたら係止部材５７の重なる部分を輪ゴム６０で留める。【００２１】  図５は図４の側面図であるが、ファンの好みや手袋にはめると暑いときなどには、介在物５９のみをつかんで声援する場合に使用することができる。【００２２】  図６は各化学発光体５６を円形にし花形パタ−ンを形成した例である。化学発光体５６をリング１６と２６に通して係止部材５７でとめて円形にする。以下同様に１７と１８と２７、１９と２０と２８、２１と２９、２２と２３と３０、２４と２５と３１に通して花形ができあがる。【００２３】  さて、図１で説明した本考案に係わる長形発光体装着用手袋５８は装着部を図１で示すようににリングを取り付けたが、他の例として図７で示したように、指先側には孔、３２ないし３６、手首側装着部は袋状収納部材３７ないし４１を用いることもできる。なお、上記説明では係止部材５７の重なる部分を輪ゴム６０で留めていたが、リング自体に輪ゴムの機能を持たせたり、係止部材同志をつなぎ合わせるようにすることによって、輪ゴムを省略することが可能である。【００２４】  この図７に示した例では、化学発光体５６の下端が袋状収納部材３７、３８、３９、４０、４１内部に収納されるため利用者が長形発光体手袋５８を大きく振っても発光体が落下することはない。特に化学発光体５６の径が小さいタイプのものである場合は有効である。【００２５】  また図８で示すように長形発光体装着手袋５８の装着部として切り込み４２ないし５１にすることも可能である。【００２６】  この図８で示した例では化学発光体５６の装着部を切り込みにすることにより化学発光体５６を、切り込み４２に挿入して５１に通して両端に係止部材５７で留める。以下同様に４３と５０、４４と４９、４５と４８、４６と４７に通して図のようなパタ−ンを形成することができる。
【図面の簡単な説明】
【００２７】
【図１】  図１は、本考案係わる実施形態を示す構成図である。
【図２】  図２は、本考案係わる他の実施形態を示す構成図である。
【図３】  図３は、図２の要部側面図である。
【図４】  図４は、本考案に係わる更に他の実施形態を示す構成図である。
【図５】  図５は、図４の要部側面図である。
【図６】  図６は、本考案に係わる更に他の実施形態を示す構成図である。
【図７】  図７は、本考案に係わる更に他の実施形態を示す構成図である。
【図８】  図８は、本考案に係わる更に他の実施形態を示す構成図である。
【図９】  図９は、従来技術を説明するための図である。
【図１０】  図１０は、従来使用されている化学発光体の使用形態を説明する図である。
【符号の説明】
１〜３１リング
３２〜３６孔
３７〜４１袋状収納部材
４２〜５１切り込み
５４長形発光体
５６化学発光体
５７係止部材
５８長形発光体装着用手袋
５９介在物
６０輪ゴム
【図１】
0003101604.tif 000003
【図２】
0003101604.tif 000004
【図３】
0003101604.tif 000005
【図４】
0003101604.tif 000006
【図５】
0003101604.tif 000007
【図６】
0003101604.tif 000008
【図７】
0003101604.tif 000009
【図８】
0003101604.tif 000010
【図９】
0003101604.tif 000011
【図１０】
0003101604.tif 000012